(57)【特許請求の範囲】
【請求項１】
液透過性の表面層、液不透過性の裏面層、及び該表面層と該裏面層との間に介在された液保持性の吸収部を有する吸収性物品において、
上記吸収部の表面層側表面に及び／又は上記吸収部の内部であって上記表面の近傍に、液体を吸収することにより弾性的に収縮する吸水収縮部材が、上記吸収部を所定長に亘って弾性的に収縮させるように備えられており、
上記吸収部は、上記表面層の幅方向中央部に所定幅の突堤が形成されるように配設されており、該突堤に上記吸水収縮部材が備えられており、
上記吸収部は、厚さ０．３〜５ｍｍの吸収シートを備え、該吸収シートは、吸収性物品の長さ方向に折曲部を位置させて折り畳まれ積層されて上記突堤を形成しており、
上記吸水収縮部材は上記吸収シートに固定されているか、又は吸収シートの折り畳み部に介在されかつ吸収性物品の長さ方向両端部において固定されていることを特徴とする吸収性物品。
【請求項２】
上記吸収シートは、中央帯状部と該中央帯状部に連設された１対の側片部とからなり、１対の上記側片部は、上記中央帯状部の左右両側縁から内側に折り込まれて上記中央帯状部の上記裏面層側において折り返されていることを特徴とする請求項１に記載の吸収性物品。
【請求項３】
上記吸収シートは、紙又は不織布間に吸水性ポリマーを層状に介在させたシート、若しくは、親水性繊維と吸水性ポリマー及びバインダーを混合してシート状に形成したものであることを特徴とする請求項１又は請求項２に記載の吸収性物品。
【発明の詳細な説明】
【０００１】
【発明の属する技術分野】
本発明は、生理用ナプキンや失禁パッド、母乳パッド等の、液透過性の表面層、液不透過性の裏面層、及び該表面層と該裏面層との間に介在された液保持性の吸収部を有する吸収性物品に関し、更に詳しくは、体液の量や装着者の動作にかかわらず液漏れを確実に防止できる吸収性物品に関する。
【０００２】
【従来の技術及び発明が解決しようとする課題】
一般に、生理用ナプキンや失禁パッド、母乳パッド等の吸収性物品として、液透過性の表面層、液不透過性の裏面層、及び該表面層と該裏面層との間に介在された液保持性の吸収部を有する吸収性物品はよく知られている。この様な吸収性物品は、血液、尿等の体液を速やかに吸収部へ移行させ、漏れさせることなく吸収・保持させることが要求される。
【０００３】
体液を漏れることなく吸収・保持させる吸収性物品としては、従来より、液体を吸収することにより弾性的に収縮する吸水収縮部材を用いたものがある。この様な吸収性物品は、吸水収縮部材が弾性を有していない状態で容易に製造できる利点がある。
この様な、吸水収縮部材を用いた吸収性物品としては、吸収部内の厚さ方向ほぼ中央全体に、複数の吸水収縮部材を吸収性物品の長さ方向に平行に備え、体液が浸入すると、吸水収縮部材の収縮により吸収部がシャーリングされるようになしたものや、吸収部の両側外方に、吸水収縮部材を吸収性物品の長さ方向を横切るように備え、体液が浸入すると吸水収縮部材の収縮により吸収部の両側外方が起立されるようになしたもの、吸収部の両側外方に、吸水収縮部材を吸収性物品の長さ方向に沿うように備え、体液が浸入すると吸水収縮部材の収縮により吸収性物品が長さ方向に湾曲した形状になるものがある。
【０００４】
しかし、吸収部をシャーリングする吸収性物品では、吸水収縮部材が吸収体内部の厚さ方向ほぼ中央全域に亘って存在し、吸収性物品全体として小さな凹凸が形成されるため、装着者の動作によっては漏れを生じやすい問題点がある。また、吸収部の側外方を起立させる吸収性物品では、起立する側外方は体液吸収能を備えていないので、装着者の動作によっては体液が側外方を越えて漏れを生じ得る問題点がある。更に、吸収性物品を長さ方向に湾曲させるものでは、吸水収縮部材が吸収体の側外方に配設されているので、吸収体が吸水収縮部材の収縮と一体には収縮せず、効果的に湾曲が形成されなかったり、フィット性が悪くなるおそれがあり、また、最も生じやすい吸収性物品の側縁における液漏れが解消されない問題点がある。加えて、上記いずれの従来の吸収性物品も、吸収性物品の体液の吸収容量そのものは向上されていないので、多量の体液に対しては対応できずに漏れを生じる場合がある。
【０００５】
従って、本発明の目的は、容易に製造でき、且つ体液の量や装着者の動作に拘わらず身体とのフィット性が高く液漏れを確実に防止できる吸収性物品を提供することにある。
【０００６】
【課題を解決するための手段】
本発明は、液透過性の表面層、液不透過性の裏面層、及び該表面層と該裏面層との間に介在された液保持性の吸収部を有する吸収性物品において、上記吸収部の表面層側表面に及び／又は上記吸収部の内部であって上記表面の近傍に、液体を吸収することにより弾性的に収縮する吸水収縮部材が、上記吸収部を所定長に亘って弾性的に収縮させるように備えられており、上記吸収部は、上記表面層の幅方向中央部に所定幅の突堤が形成されるように配設されており、該突堤に上記吸水収縮部材が備えられており、上記吸収部は、厚さ０．３〜５ｍｍの吸収シートを備え、該吸収シートは、吸収性物品の長さ方向に折曲部を位置させて折り畳まれ積層されて上記突堤を形成しており、上記吸水収縮部材は上記吸収シートに固定されているか、又は吸収シートの折り畳み部に介在されかつ吸収性物品の長さ方向両端部において固定されていることを特徴とする吸収性物品を提供することにより、上記目的を達成したものである。
【０００７】
【発明の実施の形態】
以下、本発明の吸収性物品の一実施形態を図面を参照しながら具体的に説明する。尚、本実施形態において、表面層として液透過性の表面シートが、裏面層として液不透過性の裏面シートが、それぞれ用いられている。
【０００８】
図１は、本発明の吸収性物品の実施形態としての生理用ナプキンを示す斜視図、図２は図１の生理用ナプキンにおけるＩ−Ｉ線矢視断面図、図３は図１の生理用ナプキンの体液吸収後の状態を示す斜視図、図４は図１の生理用ナプキンの体液吸収後の状態におけるＩ−Ｉ線矢視断面図である。
【０００９】
本実施形態の生理用ナプキン１は、図１又は図２に示すように、液透過性の表面層１０、液不透過性の裏面層２０、及び該表面層１０と該裏面層２０との間に介在された液保持性の吸収部３０を有する。これらの各構成については従来の公知技術と同じである。
而して、本実施形態の生理用ナプキン１では、上記吸収部３０の内部であって表面層１０側表面の近傍に、液体を吸収することにより弾性的に収縮する吸水収縮部材５０，５０が、上記吸収部３０を所定長に亘って弾性的に収縮させるように備えられている。
【００１０】
本実施形態について詳述すると、上記吸収部３０は、厚さ０．３〜５ｍｍの吸収シート３１のみからなっており、該吸収シート３１は、生理用ナプキン１の長さ方向に折曲部が位置するように折り畳まれ積層されて上記突堤４０を形成しており、上記吸水収縮部材５０，５０は上記吸収シート３１に固定されている。この吸収シート３１の厚さは、０．３〜５ｍｍであり、好ましくは０．３〜３ｍｍ、より好ましくは０．３〜１．５ｍｍである。０．３ｍｍ未満では、フィット性の向上や体液吸収容量の増加等の充分な効果を得ることのできる突堤４０を形成し難く、また折り畳み時に剛性が少な過ぎてヨレてしまう場合があり、５ｍｍ超では吸収シート３１の剛性が過大となってフィット性を損なって所望の効果を得られず、また、装着者に違和感を与えてしまうからである。
【００１１】
本実施形態について更に詳述すると、上記吸収シート３１は、中央帯状部３１ａと該中央帯状部３１ａの左右両側縁に連設する２つの側片部３１ｂ，３１ｂとからなっている。この２つの側片部３１ｂ，３１ｂは中央帯状部３１ａの左右両側縁から内側に折り込まれ、中央帯状部３１ａの裏面層２０側に重ねられた後幅方向外方に向かって折り返されている。上述のように折り畳まれた吸収シート３１の折曲部はそれぞれ生理用ナプキン１の長さ方向に配置されており、吸収シート３１の幅方向中央部が帯状に積層された折り畳み形態となっている。
吸収シート３１の上記２つの側片部３１ｂ，３１ｂそれぞれの自由端部は、上記裏面層２０の側縁近傍に延在されている。
【００１２】
そして、上記吸水収縮部材５０，５０は、吸収シート３１の中央帯状部３１ａと側片部３１ｂ，３１ｂとの２つの連設部のそれぞれの全長に亘って該連設部の内側から固定されており、体液を吸収することにより突堤４０を長さ方向全長に亘って弾性的に収縮させギャザーを形成させるようになっている。
【００１３】
この吸収シート３１は、その全面が表面層１０と積層されており、該表面層１０は、該吸収シート３１と一体に吸収シート３１と同様の折り畳み形態で折曲されている。吸収シート３１と表面層１０との積層は、吸収シート３１に表面層１０を単に重ね合わせる他、接着剤やヒートシールにより貼り合わせることによっても行うことができる。表面層１０は、吸収シート３１の周囲まで延在されており、吸収シート３１の周囲において裏面層２０と固着されている。
【００１４】
この裏面層２０は、その外側面に、粘着剤を塗布することにより長さ方向に２本の粘着部２５，２５が形成され、この粘着部２５，２５は剥離紙６０により被覆されており、生理用ナプキン１装着直前に剥離紙６０を剥離して粘着部２５，２５を露出し、粘着部２５，２５を衣類に粘着させて生理用ナプキン１のずれを防止できるようになっている。
【００１５】
上記吸収シート３１としては、吸収紙や不織布、繊維をバインダー等でシート化したパルプシート、及び繊維に高吸収性ポリマーを混合してシート状に形成したもの等のシートを用いることができ、過度に吸水収縮繊維が収縮しないよう液体吸収能の高いものが好ましく、繊維に高吸収性ポリマーを混合してシート状に形成したものが好ましい。尚、繊維に高吸収性ポリマーを混合してシート状に形成したものとしては、高吸収性ポリマーが層状に分散されているもの、三次元状に分散されているもののいずれも用いることができる。
上記繊維又は親水性繊維としては、木材パルプ等のセルロース繊維、レーヨン、キュプラ等の再生セルロース繊維、ポリビニルアルコール繊維やポリアクリロニトリル繊維等の親水性合成繊維、若しくは、界面活性剤等で繊維表面を親水化したポリエチレン、ポリプロピレン、ポリエチレンテレフタレート、ポリエチレン／ポリプロピレン複合繊維、ポリエチレン／ポリエチレンテレフタレート複合繊維が好ましく、セルロース繊維がより好ましい。
【００１６】
更に、バインダーを混合して吸収シート３１を形成する場合の該バインダーとしては、熱溶融性接着繊維又は／及び紙力補強剤を用いることが、湿潤時の強度の点からは好ましい。
上記熱溶融性接着繊維としては、加熱により溶融し相互に接着する繊維を用いることができ、具体的には、例えば、ポリエチレン、ポリプロピレン及びポリビニルアルコール等のポリオレフィン系繊維、ポリエステル系繊維、ポリエチレン−ポリプロピレン複合繊維、ポリエチレン−ポリエステル複合繊維、低融点ポリエステル−ポリエステル複合繊維、繊維表面が親水性であるポリビニルアルコール−ポリプロピレン複合繊維、並びにポリビニルアルコール−ポリエステル複合繊維等を挙げることができる。複合繊維を用いる場合には、芯鞘型複合繊維及びサイド・バイ・サイド型複合繊維の何れをも用いることができる。これらの熱溶融性接着繊維は、各々単独で用いることもでき、又は２種以上を混合して用いることもできる。本発明において好ましく用いられる熱溶融性接着繊維としては、熱水で溶解するポリビニルアルコール繊維、芯鞘型のポリエステル繊維等を挙げることができる。またこれらの熱溶融性接着繊維は、一般にその繊維長が２〜６０ｍｍであることが好ましく、繊維径は０．１〜３デニール（特に０．５〜３デニール）であることが好ましい。
上記紙力補強剤としてはポリアミン・エピクロルヒドリン樹脂、ジアルデヒドデンプン、カイメン、カルボキシメチルセルロース等を挙げることができる。
【００１７】
好ましい上記吸収シート３１としては、親水性繊維及び熱溶融性接着繊維または紙力補強剤並びに高吸収性ポリマーとから構成され、上記高吸収性ポリマーは、上記吸収シートが液体を吸収する吸収表面には存在せず、該吸収シートの内部に分散配置されており、且つ該吸収シートを構成する親水性繊維に接着し固定化されており、上記高吸収性ポリマーの散布坪量は５〜３００ｇ／ｍ2 であり、上記吸収シートの厚みが０．３〜１．５ｍｍである高吸収シートが挙げられる。
また、更に好ましい上記吸収シートとしては、嵩高性の親水性繊維及び熱溶融性接着繊維または紙力補強剤から形成された繊維構造体と高吸収性ポリマー粒子とから構成され、上記高吸収性ポリマー粒子は上記吸収シートが液体を吸収する吸収表面には存在せず、上記繊維構造体中に分散固定されており、上記高吸収性ポリマーの散布坪量が２０〜７０ｇ／ｍ2 であり、上記吸収シートの厚みが０．３〜１．５ｍｍである高吸収シートが挙げられる。
【００１８】
この様な高吸収シートは、１枚のシート中に高吸収性ポリマーが３次元的に分散・固定されている為に、該高吸収性ポリマーの吸収能が効果的に発揮され、また、ポリマーのゲルブロッキングも少ない為、体液がスムースに吸収シート中を伝達し易く、体液の排出量に応じて適度な吸水収縮繊維の収縮とより高い吸収能を得る為好ましく使用できる。
【００１９】
上記突堤４０は、突堤４０が装着者に違和感なく且つ確実に当接され、且つ吸収シート３１が突堤４０において良好な体液吸収量を呈するためには、幅Ｗが１０〜５０ｍｍであり且つ厚さＴが１〜１０ｍｍであることが好ましく、幅Ｗが２０〜４０ｍｍであり且つ厚さＴが１〜５ｍｍであることがより好ましい。
また、上記吸収シート３１の折り込み幅（中央帯状部３１ａの左右両側縁から中央帯状部３１ａの裏面層２０側において折り返されるまでの幅方向の距離）は、左右両側部を合わせて、中央帯状部３１ａの幅の２分の１以上であればよい。
【００２０】
上記吸水収縮部材５０，５０は、フィルム、繊維、繊維から作られる糸、発泡体等を特に制限することなく用いることができるが、体液を含浸させると１０％以上収縮するものが好ましく、２０％以上収縮するものがより好ましい。またこの吸水収縮部材５０，５０の材料としては、綿、レーヨン等のセルロース繊維の変成物、例えばカルボキシメチル化綿、メチル化綿、エチル化綿、ヒドロキシエチル化綿、硫酸化綿、スルホン化綿、リン酸化綿、カチオン化綿、両性イオン化綿、アクリル酸ソーダ、アクリル酸、アクリロニトリル、アクリルアミドをセルロース繊維にグラフト化したもの等及びそれらの架橋物、更に羊毛、絹等の上記の如き変成物、又合成繊維の変成物、例えばアクリロニトリル系繊維の部分ケン化物、ビニロンの部分マレイン酸エステル化物等の繊維及び繊維から作られる糸等が挙げられる。
また、上記吸水収縮繊維の吸水した時の強度を向上させる為、非収縮繊維若しくは糸と混合して混撚糸したものも好ましく使用される。
【００２１】
上記吸水収縮部材５０，５０は、突堤４０を装着者の当接部位に良好に適応する形状に湾曲させるためには、突堤４０の少なくとも長さ方向略中央部を長さ方向に収縮させるものであることが好ましい。
上記粘着部２５，２５を形成する粘着剤及び剥離紙６０としては、従来より用いられているものを特に制限なく用いることができる。
【００２２】
本実施形態の生理用ナプキン１では、突堤４０が装着者に当接され、体液は突堤４０に浸入し、まず吸収シート３１の中央帯状部３１ａにおいて吸収される。そして、中央帯状部３１ａにおいて吸収されなかった体液は側片部３１ｂ，３１ｂの折り畳み形態に沿って又は裏面層２０側の層へ直接移行する。この時、吸水収縮部材５０，５０が体液により弾性的に収縮し、図３又は図４に示すように、吸収部３０が装着者の当接部位に適応して長さ方向に湾曲され、且つ突堤４０が起立される。
【００２３】
この様に、本実施形態の生理用ナプキン１によれば、吸水収縮部材５０，５０が、上記吸収部３０の内部であって表面層１０側表面の近傍に備えられているので、吸収部３０が装着者の当接部位に適応して効果的に長さ方向に湾曲され、装着者の動きに係わらず、フィット性が向上し、漏れが良好に防止される。
本実施形態の生理用ナプキン１によれば、吸水収縮部材５０，５０が弾性を有さず吸収部３０が収縮されていない状態で、容易に製造することができる。
【００２４】
本実施形態の生理用ナプキン１によれば、突堤４０が装着者に当接され、体液が突堤４０から浸入し且つ突堤４０において多量に吸収・保持されるので、体液が左右両側部まで移行し難く、液漏れが良好に防止される。
【００２５】
本実施形態の生理用ナプキン１によれば、吸水収縮部材５０，５０の収縮により突堤４０が装着者の肌側に起立した状態に保持され、確実に装着者に当接され、フィット性が向上すると共に、下層と離間し、体液が主に中央部で吸収されるので、体液が大量である場合にも、装着者の動きが激しい場合にも、確実に液漏れを防止することができる。
本実施形態の生理用ナプキン１によれば、突堤４０が吸収シート３１により形成されているので、吸水収縮部材５０，５０を吸収シート３１に固定し若しくは吸収シート３１に介在させ生理用ナプキン１の両端部において固定することによって、突堤４０に容易に吸水収縮部材５０，５０を配設することができる。そして吸水収縮部材５０，５０を吸収シート３１に固定又は介在させると、吸水収縮部材５０，５０の収縮により吸収部３０に形成されるギャザー状の凹凸が比較的小さく形成されるので、表面層１０の肌触りがほとんど悪化されずに良好な装着感が維持される。
【００２６】
本実施形態の生理用ナプキン１によれば、突堤４０における多層構造が一枚の吸収シート３１を折り畳むことにより形成されているので、体液が吸収シート３１に沿って滞留することなく速やかに突堤４０内を移行し突堤４０全体に吸収され、液漏れが良好に防止される。
本実施形態の生理用ナプキン１によれば、表面層１０が吸収シート３１と共に折曲・積層されているので、表面層１０においても体液が左右両側部まで移行し難く、液漏れが一層良好に防止される。
【００２７】
本発明は上述した実施形態に限定されるものではなく、各部材の具体的な形状や寸法等は、本発明の趣旨を逸脱しない限りにおいて適宜変更可能である。
例えば、図５に示すように、吸収部３０を吸収シート３１に加えて吸収パッド３３とともに形成してもよい。
また、図６に示すように、吸収シート３１はその全面が表面層１０と積層されておらず、吸収シート３１の、折り込まれず露出されている面のみが表面層１０と積層されていてもよい。
図７に示すように、吸収シート３１と裏面層２０との間に、吸収シート３１と同様のシートよりなる補助シート３２を配設して吸収部３０を吸収シート３１と補助シート３２とにより形成し、裏面層２０近くにおける体液吸収容量を増加させてもよい。
吸収シート３１の側片部３１ｂ，３１ｂの自由端部は、裏面層２０の側縁近傍に延在されていなくてもよく、図８に示すように、吸収シート３１を裏面層２０の側縁近傍から再び折り込み積層され、上記補助シートと同様の効果が発揮されるようにしてもよい。
【００２８】
突堤４０において吸収シート３１をより多く折曲させ、より多層に形成させてもよい。
突堤４０における多層構造を複数の吸収シートによって形成させてもよい。
吸水収縮部材５０，５０は、吸収シート３１の表面層１０側に固定してもよい。
また、吸収シート３１には固定せずに単に吸収シート３１の折り畳み部に介在させて、生理用ナプキン１の長さ方向両端部においてのみ固定してもよい。
吸収シート３１と表面層１０とは、一枚のシート化したものを用いることもできる。
【００２９】
吸収部３０の側外方に、図２において点線で示す如く裏面層２０の側縁部を延長して防漏壁２０’，２０’を形成させて、又は図７に示すように液不透過性の防漏材７０，７０を配置させて、一層確実に液漏れを防止してもよい。この防漏壁２０’，２０’や防漏材７０，７０は吸収部３０と表面層１０との間に介在させても、表面層１０の外方に配置させてもよい。また、防漏壁２０’，２０’や防漏材７０，７０を配置する場合、吸収シート３１の周囲において表面層１０、及び防漏壁２０’，２０’又は防漏材７０，７０を熱溶着により裏面層２０と固着することにより、防漏壁２０’，２０’又は防漏材７０，７０を若干起立させるとより良好な効果を得ることができる。
吸収性物品は、失禁者用パッドや母乳パッド、外科用パッド等の、生理用ナプキン以外のものでもよい。
【００３０】
【発明の効果】
以上説明した様に、請求項１に記載の発明によれば、吸収部が装着者の当接部位に適応して効果的に長さ方向に湾曲されるので、装着者に良好にフィットし、且つ装着者の動きに係わらず、漏れが良好に防止される。また、吸水収縮部材が弾性を有さず吸収部が収縮されていない状態で、容易な製造が可能である。
【００３１】
また、突堤が、吸水収縮部材の収縮により装着者の当接部位に適応して長さ方向に湾曲され、且つ、吸水収縮部材の収縮に伴い突堤が身体の方へ隆起するため、より身体にフィットして確実に装着者に当接され、体液はこの突堤から浸入し突堤において多量に吸収・保持されるので、装着者の動きや体液の量に係わらず、液漏れが良好に防止される。
【００３２】
更に、上記の効果に加えて、吸水収縮部材を容易に突堤に配設することができ、且つ良好な装着感が維持されるという効果が奏される。
【図面の簡単な説明】
【図１】本発明の第１の実施形態に係る吸収性物品を示す斜視図である。
【図２】図１の吸収性物品を示すＩ−Ｉ線矢視断面図である。
【図３】図１の吸収性物品において吸水収縮部材が体液を吸収した状態を示す斜視図である。
【図４】図１の吸収性物品において吸水収縮部材が体液を吸収した状態を示すＩ−Ｉ線矢視断面図である。
【図５】本発明の他の実施形態に係わる吸収性物品を示す縦断面図であって、上記第１の実施形態における図２に相当する図である。
【図６】本発明の他の実施形態に係わる吸収性物品を示す縦断面図であって、上記第１の実施形態における図２に相当する図である。
【図７】本発明の他の実施形態に係わる吸収性物品を示す縦断面図であって、上記第１の実施形態における図２に相当する図である。
【図８】本発明の他の実施形態に係わる吸収性物品を示す縦断面図であって、上記第１の実施形態における図２に相当する図である。
【図９】本発明の他の実施形態に係わる吸収性物品を示す縦断面図であって、上記第１の実施形態における図２に相当する図である。
【符号の説明】
１    生理用ナプキン
２    生理用ナプキン
３    生理用ナプキン
４    生理用ナプキン
５    生理用ナプキン
６    生理用ナプキン
１０    表面層
２０    裏面層
２０’  防漏壁
２５    粘着部
３０    吸収部
３１    吸収シート
３１ａ  中央帯状部
３１ｂ  側片部
３２    補助シート
３３    吸収パッド
４０    突堤
５０    吸水収縮部材
６０    剥離紙
７０    防漏材
【図１】
0003791967.tif 000002
【図２】
0003791967.tif 000003
【図３】
0003791967.tif 000004
【図４】
0003791967.tif 000005
【図５】
0003791967.tif 000006
【図６】
0003791967.tif 000007
【図７】
0003791967.tif 000008
【図８】
0003791967.tif 000009
【図９】
0003791967.tif 000010